(57)【要約】【課題】被吊下物の重量バランスが左右で異なる場合や、被吊下物に風や振動等の外的な力がかかった場合であっても、被吊下物の揺動を規制し、被吊下物の破損等を防止することが可能な吊り下げ具を提供すること。【解決手段】吊り下げ具１は、伸張部４と、壁面等に係止する係止部２と、被吊下物を保持するフック部３と、フック部３を支持する揺動規制部８とからなる。揺動規制部８は、全体がＵ字状となるように１つの一の棒状部材を折り曲げて形成され、第１揺動規制片８ａと、第２揺動規制片８ｂと、湾曲部８ｃとからなり、湾曲部８ｃはフック部３よりも下方向に位置し、この湾曲部８ｃと連結している第１揺動規制片８ａ及び第２揺動規制片８ｂがフック部３と連結されている。【選択図】        図１
2004166723.tif 000002
【特許請求の範囲】
【請求項１】
少なくとも、被吊下物を保持するフック部と、該フック部と結合されている伸張部と、該フック部を支持する揺動規制部とを備え、
前記揺動規制部は、前記フック部が被吊下物を保持した状態で被吊下物の揺動を規制する構成としたこと
を特徴とする吊り下げ具。
【請求項２】
前記揺動規制部は、前記フック部から直線的に形成されてなる伸張部と平行に張設されてなることを特徴とする請求項１に記載の吊り下げ具。
【請求項３】
前記揺動規制部は、一端が自由端で他端が前記伸張部と結合されて断面が鉤状を有する前記フック部と直交する方向において、前記フック部の幅よりも大きな幅で構成したことを特徴とする請求項１又は請求項２に記載の吊り下げ具。
【請求項４】
前記揺動規制部は、前記被吊下物に面する側が平面状に形成されたことを特徴とする請求項１乃至請求項３のうち、何れか１に記載の吊り下げ具。
【請求項５】
前記揺動規制部は、２以上の揺動規制片を有することを特徴とする請求項１乃至請求項３のうち、何れか１に記載の吊り下げ具。
【請求項６】
前記揺動規制部は、全体がＵ字状で構成されて、第１揺動規制片、第２揺動規制片及び湾曲部とを有し、前記湾曲部が前記フック部よりも下方向又は上方向であって、該湾曲部と連結される第１揺動規制片と第２揺動規制片で前記フック部と連結され、前記フック部が被吊下物を保持した状態で前記第１揺動規制片と第２揺動規制片とで被吊下物の揺動を規制する構成としたことを特徴とする請求項１乃至請求項３のうち、何れか１に記載の吊り下げ具。
【発明の詳細な説明】
【０００１】
【発明の属する技術分野】
本発明は、吊り下げ具に関し、特に、揺動規制部によって被吊下物の揺動を規制することが可能な吊り下げ具に関する。
【０００２】
【従来の技術】
従来の吊り下げ具としては、図６に示すような壁等へ吊り下げて使用するようなものがある。図６は、従来の吊り下げ具の使用状態を示す図である。
【０００３】
図６に示すように、壁掛け鉢６０は、壁面等に係止するための壁面部６２と、この壁面部６２に一体に形成されて曲面状の容積部６３とを備え、壁面部６２には吊下孔６１が設けられている。
【０００４】
壁掛け鉢６０を壁等の壁面やベランダ等の手摺に係止して使する場合に用いられる吊り下げ具としては、図６に示すように、全体が略Ｓ字状に形成された吊り下げ具５０が用いられている。
【０００５】
吊り下げ具５０は、直線状の伸張部５３と、伸張部５３の一方の端部を下向きに湾曲して形成された係止部５１と、伸張部５３の他方の端部を上向きに折り曲げて形成されたフック部５２とからなる。
【０００６】
図６に示すように、吊り下げ具５０によって壁掛け鉢６０を保持する場合、吊り下げ具５０の一方の端部である係止部５１を壁面等に係止し、壁掛け鉢６０の吊下孔６１に吊り下げ具５０の他方の端部であるフック部５２を挿入して、壁掛け鉢６０をフック部５２に保持する。逆に、吊り下げ具５０を取り外す場合には、係止部５１を壁面等から壁掛け鉢６０を一体に取り外す場合と、壁掛け鉢６０のみを取り外すことも可能である。
【０００７】
【非特許文献１】
アイリスオーヤマ株式会社，「ＩＲＩＳ  ２００２／ＣＡＴＡＬＯＧ／ガーデン＆ペット」，２００２年，ｐ．３５
【０００８】
【発明が解決しようとする課題】
しかしながら、従来の吊り下げ具５０を用いて壁掛け鉢６０を吊り下げた場合、容積部６３の内容物の重量バランスが、例えば植物の枝葉の方向や、各枝葉の生育の差等により、左右で異なるため壁掛け鉢６０の重心が傾き、捩れを生じることがある。また、屋外で使用されることが多いことから、風や振動等の外的な要因によって、図６に示す矢印方向に壁掛け鉢６０が揺動することがある。
【０００９】
このような場合に、従来の吊り下げ具５０では、図６に示す矢印方向に、壁掛け鉢６０が大きく揺動してしまうため、壁掛け鉢６０が壁面等に当たって破損する危険がある。また、壁掛け鉢６０が大きく揺動した場合に生じる捩れによって吊下孔６１に大きな負荷がかかり、吊下孔６１が破損し、壁掛け鉢６０自体が落下する危険がある。また、吊り下げ具５０から壁掛け鉢６０のみを取り外す場合には、吊り下げ具５０自体の揺動によって取り外し難いことにより、又は、壁掛け鉢６０と吊り下げ具５０との離脱がし難いことにより、壁掛け鉢６０を落下させて破損させるおそれもある。
【００１０】
そこで、本発明は、上記のような課題を解決するためになされたものであって、被吊下物の重量バランスが左右で異なる場合や、被吊下物に風や振動等の外的な力がかかった場合であっても、被吊下物の揺動を規制し、被吊下物の破損等を防止することが可能な吊り下げ具を提供することを目的とするものである。
【００１１】
【課題を解決するための手段】
本発明による吊り下げ具は、少なくとも、被吊下物を保持するフック部と、該フック部と結合されている伸張部と、該フック部を支持する揺動規制部とを備え、前記揺動規制部は、前記フック部が被吊下物を保持した状態で被吊下物の揺動を規制する構成とした。
【００１２】
また、本発明による吊り下げ具の前記揺動規制部は、前記フック部から直線的に形成されてなる伸張部と平行に張設されている。
【００１３】
また、本発明による吊り下げ具の前記揺動規制部は、一端が自由端で他端が前記伸張部と結合されて断面が鉤状を有する前記フック部と直交する方向において、前記フック部の幅よりも大きな幅で構成した。
【００１４】
また、本発明による吊り下げ具の前記揺動規制部は、前記被吊下物に面する側が平面状に形成した。
【００１５】
また、本発明による吊り下げ具の前記揺動規制部は、２以上の揺動規制片を有する。
【００１６】
また、本発明による吊り下げ具の前記揺動規制部は、全体がＵ字状で構成されて、第１揺動規制片、第２揺動規制片及び湾曲部とを有し、前記湾曲部が前記フック部よりも下方向又は上方向であって、該湾曲部と連結される第１揺動規制片と第２揺動規制片で前記フック部と連結され、前記フック部が被吊下物を保持した状態で前記第１揺動規制片と第２揺動規制片とで被吊下物の揺動を規制する構成とした。
【００１７】
【発明の実施の形態】
以下、図１乃至図５を参照して、本発明による吊り下げ具の実施の形態について説明する。なお、被吊下物としての壁掛け鉢については図６と同じ符号を付して用いる。図１（ａ）は、本発明による吊り下げ具の正面図、（ｂ）は、本発明による吊下げ具の側面図、図２は、本発明による吊り下げ具の斜視図である。
【００１８】
図１及び図２に示すように、吊り下げ具１は、例えば、塀やベランダ等に壁掛け鉢を保持する場合に用いられるものであって、伸張部４と、壁面等に係止する係止部２と、被吊下物を保持するフック部３と、フック部３を支持する揺動規制部８からなる。
【００１９】
伸張部４は、図１（ｂ）の一点鎖線で示すように、丸棒状でかつ直線的に形成されている。
【００２０】
係止部２は、塀やベランダ等の壁面に係止するためのものであって、図１（ｂ）に示すように、一端が自由端で他端が前記伸張部４の一端と結合され、図１（ｂ）から明らかなように、先端部が下向きになるように湾曲させて形成されている。なお、係止部２と伸張部４とは、別部材で構成して連結してもよいし、同一部材で一体的に構成してもよい。
【００２１】
フック部３は、図１（ｂ）に示すように、係止部２とは反対側に設けられており、伸張部４と結合されて先端が自由端となっており、図１（ｂ）から明らかなように、上方向に折り曲げて形成されている。なお、フック部３と伸張部４とは、別部材で構成して連結してもよいし、同一部材で一体的に構成してもよい。
【００２２】
図１及び図２に示すように、揺動規制部８は、全体がＵ字状となるように１つの一の棒状部材を折り曲げて形成され、第１揺動規制片８ａと、第２揺動規制片８ｂと、湾曲部８ｃとからなる。
【００２３】
なお、本発明による実施の形態では、揺動規制部８の形状は、上記のように棒状体をＵ字状に形成し、第１揺動規制片８ａ及び第２揺動規制片８ｂの二つの揺動規制片を設けているが、必ずしもＵ字状である必要はなく、例えば、リング状や「へ」の字状等としてもよいし、また、複数の棒状体を放射状に配するようにして２以上の揺動規制片を設けてもよく、更に、平面状の円盤のように平面状に構成してもよい。
【００２４】
図１及び図２に示すように、揺動規制部８の湾曲部８ｃがフック部３よりも下方向に位置し、この湾曲部８ｃと連結している第１揺動規制片８ａ及び第２揺動規制片８ｂがフック部３と連結されている。
【００２５】
揺動規制部８は、図１（ａ）及び（ｂ）に示すように、伸張部４と平行方向に張設されている。
【００２６】
なお、本発明による実施の形態では、図１（ｂ）に示すように、揺動規制部８は、フック部３のやや自由端寄りに固定しているが、必ずしもかかる構成をとる必要はなく、例えば、第１揺動規制片８ａ及び第２揺動規制片８ｂが伸張部４に連結されるようにして、揺動規制部８を固定し、伸張部４から張設する構成としてもよい。
【００２７】
図１（ｂ）に示すように、フック部３は、一端が自由端で、他端が伸張部４と結合されており、断面が鉤状で構成されているが、図１（ａ）及び（ｂ）に示すように、揺動規制部８は、フック部３が鉤状に形成されている方向と直交する方向に設けられている。なお、フック部３の長さＬ及び折り曲げ角θは、図１（ｂ）に示すように、壁掛け鉢６０を係止可能な長さであればよく、適宜設定されればよい。
【００２８】
また、図１（ａ）に示すように、フック部３のフックが形成されている揺動規制部８の幅Ｗ２は、フック部３の幅Ｗ１よりも大きく形成されている。但し、フック部３に当接する揺動規制部８の幅Ｗ２´は、フック部３の幅Ｗ１と同一もしくは大である。
【００２９】
係止部２、フック部３、伸張部４及び揺動規制部８は、金属材料で成形されているが、それ以外の材料、例えばＡＢＳ樹脂等により構成してもよい。
【００３０】
次に、本発明による実施の形態である吊り下げ具の作用について、図３及び図４を参照して説明する。図３は、壁掛け鉢の背面からみた本発明による吊り下げ具の使用状態を示す斜視図、図４は、壁掛け鉢の上方向からみた本発明による吊り下げ具の使用状態を示す斜視図である。
【００３１】
本発明による実施の形態である吊り下げ具１によって壁掛け鉢６０を保持する場合は、図３に示すように、吊り下げ具１の係止部２を壁面等に係止し、壁掛け鉢６０の吊下孔６１に吊り下げ具１のフック部３を挿入して、壁掛け鉢６０をフック部３に保持する。
【００３２】
吊り下げ具１には、揺動規制部８が設けられているので、図３に示すように壁掛け鉢６０を保持した場合、壁掛け鉢６０を保持するフック部３は、容積部６３の内容物の重量バランスが左右で異なる場合に壁掛け鉢６０の重心が傾いて、図４に示す矢印方向に捩れを生じたり、風や振動等の外的な力によって、図４に示す矢印方向に壁掛け鉢６０が揺動したりすることがあるが、揺動規制部８によって揺動が規制される。
【００３３】
本発明による実施の形態である吊り下げ具１には、揺動規制部８を有しており、揺動規制部８の幅Ｗ２はフック部３の幅Ｗ１よりも大きいため、例えば図４に示す矢印方向に壁掛け鉢６０が捩れ又は揺動しても、図４に示す二点鎖線で表された位置まで壁掛け鉢６０が捩れ又は揺動したときに、揺動規制部８の第２揺動規制片８ｂが壁掛け鉢６０の壁面部６２に接触し、第２揺動規制片８ｂが壁掛け鉢６０の捩れ又は揺動を規制するので、図４に示す二点鎖線で表された位置以上に、壁掛け鉢６０が大きく捩れ又は揺動することはない。
【００３４】
壁掛け鉢６０が図４に示す矢印と反対方向に捩れ又は揺動する場合には、揺動規制部８の第１揺動規制片８ａが壁掛け鉢６０の壁面部６２に接触するまで壁掛け鉢６０が捩れ又は揺動すると、該第１揺動規制片８ａが壁掛け鉢６０の捩れ又は揺動を規制するので、壁掛け鉢６０がこれ以上大きく捩れ又は揺動することはない。
【００３５】
また、従来の吊り下げ具のように、揺動規制部がない場合は、吊下孔６１が大きくなる程に、壁掛け鉢６０が捩れ又は揺動する範囲も大きくなるが、本発明による実施の形態である吊り下げ具１によれば、揺動規制部８を有するために、一定位置まで壁掛け鉢６０が捩れ又は揺動すると、必ず第１揺動規制片８ａ若しくは第２揺動規制片８ｂに接触するため、吊下孔６１の大きさに関わらず、壁掛け鉢６０の捩れ又は揺動を一定限度にまで規制することが可能となる。
【００３６】
また、本発明による吊り下げ具１によれば、壁掛け鉢６０の捩れ又は揺動する範囲を最小限に規制できるので、壁掛け鉢６０が捩れ又は揺動した場合に壁掛け鉢６０の吊下孔６１にかかる負荷を減少させることが可能となる。
【００３７】
次に、本発明による第二の実施の形態について、図５を参照して説明する。なお、図１及び図２と実質的に同一の機能及び同一の構成を有するものについては同じ符号を付して説明し、同一の部分についてはその説明を省略する。
【００３８】
図５に示すように、吊り下げ具１は、伸張部４と、壁面等に係止する係止部２と、被吊下物を保持するフック部３と、フック部３を支持する揺動規制部１０からなる。
【００３９】
揺動規制部１０は、全体がＵ字状となるように一の棒状部材を折り曲げて形成され、第１揺動規制片１０ａと、第２揺動規制片１０ｂと、湾曲部１０ｃとから構成されてなる。
【００４０】
図５に示すように、揺動規制部１０の湾曲部１０ｃがフック部３よりも上方向に位置し、該湾曲部１０ｃと連結している第１揺動規制片１０ａ及び第２揺動規制片１０ｂがフック部３と連結されている。
【００４１】
【発明の効果】
以上説明したように、本発明によれば、被吊下物を保持するフック部を支持する揺動規制部を設けたので、内容物の重量バランスが左右で異なる場合、また、風や振動等の外的な力がかかった場合であっても、壁掛け鉢等の被吊下物が大きく揺動することを防止し、被吊下物の破損を防止できる。
【００４２】
また、本発明によれば、揺動規制部を設けたので、吊り下げ具自体の揺動も規制できるので、吊り下げ具から被吊下物の脱着が容易となるので、被吊下物を落下させて破損させることを防止できる。
【図面の簡単な説明】
【図１】（ａ）は、本発明による吊り下げ具の正面図であり、（ｂ）は、本発明による吊下げ具の側面図である。
【図２】本発明による吊り下げ具の斜視図である。
【図３】壁掛け鉢の背面からみた本発明による吊り下げ具の使用状態を示す斜視図である。
【図４】壁掛け鉢の上方向からみた本発明による吊り下げ具の使用状態を示す斜視図である。
【図５】第二の実施例を示す斜視図である。
【図６】従来の吊り下げ具の使用状態を示す図である。
【符号の説明】
１                吊り下げ具
２                係止部
３                フック部
４                伸張部
８                揺動規制部
８ａ              第１揺動規制片
８ｂ              第２揺動規制片
８ｃ              湾曲部
１０              揺動規制部
１０ａ            第１揺動規制片
１０ｂ            第２揺動規制片
１０ｃ            湾曲部
５０              従来の吊り下げ具
５１              係止部
５２              フック部
５３              伸張部
６０              壁掛け鉢
６１              吊下孔
６２              壁面部
６３              容積部
【図１】
2004166723.tif 000003
【図２】
2004166723.tif 000004
【図３】
2004166723.tif 000005
【図４】
2004166723.tif 000006
【図５】
2004166723.tif 000007
【図６】
2004166723.tif 000008